(57)【要約】【課題】操作性に優れた携帯型入力受付装置および入力受付プログラムを提供する。【解決手段】携帯端末が、１以上のアイコンを表示する表示パネル、端末本体の、左右方向の移動や表示画面に垂直な方向の移動を検出する３軸加速度センサー、３軸加速度センサーによる検出結果に基づき表示パネルの表示制御を行う制御部などを備える。制御部は、３軸加速度センサー出力より携帯端末の左右方向の移動を検出した場合（Ｓ２１：Ｙｅｓ）、表示画面のスクロール処理Ａを実行する（Ｓ２２）。一方、表示画面に垂直な方向であってユーザーに近づく方向の移動を検出した場合は（Ｓ２１：Ｎｏ）、表示倍率の拡大縮小処理を実行して（Ｓ２２）、表示倍率を拡大させる。そして、表示画面に全体が表示されるアイコンが１つだけになった場合には（Ｓ２４：Ｙｅｓ）、当該１つのアイコンがユーザーによって選択されたと判定するようにした（Ｓ２５）。【選択図】図９
2014086003.tif 000002
【特許請求の範囲】
【請求項１】
複数のアイコンの中から一のアイコンを選択することにより入力を受け付ける携帯型入力受付装置であって、
前記複数のアイコンのうち、少なくとも一部のアイコンを表示する表示手段と、
装置本体の、第１の方向における移動を検出する第１の移動検出手段と、
前記第１の方向とは異なる第２の方向における移動を検出する第２の移動検出手段と、
前記第１の移動検出手段による検出結果に基づいて、前記表示手段に表示された表示画面をスクロールさせるスクロール表示制御を実行するとともに、前記第２の移動検出手段による第２の方向における移動を検出したときに、前記表示画面の表示倍率を拡大する拡大表示制御を実行する表示制御手段と、
前記表示倍率の拡大により、前記表示画面に、全体が表示されるアイコンが１つだけになった場合に、当該１つのアイコンが操作者によって選択されたと判定する判定手段とを備えることを特徴とする携帯型入力受付装置。
【請求項２】
前記表示制御手段は、
前記判定手段により選択されたと判定されたアイコンに下位階層の複数のアイコンが関連付けられている場合には、当該下位階層のアイコンを前記表示手段に表示する
ことを特徴とする請求項１に記載の携帯型入力受付装置。
【請求項３】
装置本体の第３の方向への移動を検出する第３の移動検出手段と、第４の方向への移動を検出する第４の移動検出手段とを、さらに備え、
前記表示制御手段は、下位階層のアイコンの選択のため、当該下位階層の複数のアイコンのうちの一のアイコンのみ全体を前記表示手段に表示させ、
前記第３の移動検出手段による検出結果に基づいて、前記表示手段の表示画面をスクロールして全体が表示されたアイコンを切り替えると共に、前記第４の移動検出手段により第４の方向への移動が検出されたときには、前記表示倍率を縮小させる制御を実行し、
前記判定手段は、前記表示倍率が所定値以下に縮小されたとき、当該縮小前に前記表示手段の表示画面に全体が表示されていたアイコンが最終的に選択されたと判定する
ことを特徴とする請求項２に記載の携帯型入力受付装置。
【請求項４】
前記表示倍率の所定値は、前記表示画面に全体が表示される下位階層のアイコンが２つ以上になるときの倍率である
ことを特徴とする請求項３に記載の携帯型入力受付装置。
【請求項５】
装置本体の第３の方向への移動を検出する第３の移動検出手段と、第４の方向への移動を検出する第４の移動検出手段とを、さらに備え、
前記表示制御手段は、下位階層のアイコンの選択のため、当該下位階層の複数のアイコンをポップアップ表示させ、
前記第３の移動検出手段による検出結果に基づいて、前記ポップアップされた複数のアイコンのうち選択対象となるべきアイコンの指定を変更すると共に、前記第４の移動検出手段により第４の方向への移動が検出されたときには、前記表示倍率を縮小させる制御を実行し、
前記判定手段は、前記表示倍率が所定値以下に縮小されたとき、ポップアップ表示上で指定されたアイコンが最終的に選択されたと判定する
ことを特徴とする請求項２に記載の携帯型入力受付装置。
【請求項６】
前記表示倍率の所定値は、前記表示画面に前記ポップアップ表示させなければ、全体が表示される上位階層のアイコンが２つ以上になるときの倍率である
ことを特徴とする請求項５に記載の携帯型入力受付装置。
【請求項７】
前記表示制御手段は、
前記判定手段により下位階層のアイコンが最終的に選択されたと判定された後、前記表示画面に、上位階層のアイコンが表示されるように制御する
ことを特徴とする請求項３から６のいずれかに記載の携帯型入力受付装置。
【請求項８】
前記第１の方向の移動は、前記表示画面に平行な方向における平行移動であり、
前記表示制御手段は、装置本体の、当該第１の方向の移動方向とは反対方向に前記表示画面をスクロールさせるように制御する
ことを特徴とする請求項１から７のいずれかに記載の携帯型入力受付装置。
【請求項９】
前記第１の移動検出手段は、前記第１の方向の第１移動量を検出する第１の移動量検出手段を備え、
前記表示制御手段は、第１移動量と等しい距離だけ前記表示画面をスクロールさせるように制御することを特徴とする請求項８に記載の携帯型入力受付装置。
【請求項１０】
前記第１の方向の移動は、操作者が前記表示画面を自分に向けた状態で装置本体を保持した場合に、当該装置本体を左右方向に傾ける回転移動であり、
前記表示制御手段は、
前記第１の移動検出手段により、装置本体が右方向に傾くのを検出した場合には、前記表示画面を右方向にスクロールさせ、装置本体が左方向に傾くのを検出した場合には前記表示画面を左方向にスクロールさせる
ことを特徴とする請求項１から７のいずれかに記載の携帯型入力受付装置。
【請求項１１】
前記第２の方向の移動は、前記表示画面に垂直な方向で、操作者側に向かう方向への直線移動であり、前記第４の方向への移動は、前記第２の方向と反対側に向かう直線移動であることを特徴とする請求項３から７のいずれかに記載の携帯型入力受付装置。
【請求項１２】
前記第２の方向の移動は、操作者が前記表示画面を自分に向けた状態で装置本体を保持した場合に、当該装置本体を、前記表示画面の手前方向に傾ける回転移動であり、
前記第４の方向の移動は、前記第２の方向と反対方向に傾ける回転移動である
ことを特徴とする請求項３から７のいずれかに記載の携帯型入力受付装置。
【請求項１３】
前記第３の方向の移動は、操作者が前記表示画面を自分に向けた状態で装置本体を保持した場合に、当該装置本体を左右方向に傾ける回転移動であり、
前記表示制御手段は、
前記第３の移動検出手段により、装置本体が右方向に傾くのを検出した場合には、前記表示画面を右方向にスクロールさせ、装置本体が左方向に傾くのを検出した場合には前記表示画面を左方向にスクロールさせる
ことを特徴とする請求項３から７のいずれかに記載の携帯型入力受付装置。
【請求項１４】
前記階層構造をなすアイコンが、特定プログラムの動作環境を設定するためのものであって、上位階層のアイコンが動作環境の設定項目を示し、下位階層が、当該設定項目の具体的な設定内容を示す
ことを特徴とする請求項２から１３のいずれかに記載の携帯型入力受付装置。
【請求項１５】
前記表示制御手段は、
アイコンの表示倍率を拡大する際に、１個のアイコンが前記表示画面に収まりきれなくなる前に、表示倍率の拡大を停止させる
ことを特徴とする請求項１から１４のいずれかに記載の携帯型入力受付装置。
【請求項１６】
前記表示制御手段は、
前記表示倍率を縮小する際に、アイコンの縮小率が、所定値になったときに縮小を停止させることを特徴とする請求項３または４に記載の携帯型入力受付装置。
【請求項１７】
前記第１〜第４の移動検出手段として、３軸加速度センサーが用いられている
ことを特徴とする請求項３から７のいずれかに記載の携帯型入力受付装置。
【請求項１８】
前記第１〜第４の移動検出手段のうち、直線移動を検出する手段として３軸加速度センサーが用いられ、回転移動を検出する手段として２軸ジャイロセンサーが用いられている
ことを特徴とする請求項３から７のいずれかに記載の携帯型入力受付装置。
【請求項１９】
装置本体の、第１の方向における移動を検出する第１の移動検出手段および前記第１の方向とは異なる第２の方向における移動を検出する第２の移動検出手段と、アイコンを表示する表示手段とを備える携帯型入力受付装置で実行される入力受付プログラムであって、
１以上のアイコンを表示手段に表示するアイコン表示ステップと、
前記第１の移動検出手段による検出結果に基づいて、前記表示手段に表示された表示画面をスクロールさせるスクロールステップと、
前記第２の移動検出手段により第２の方向における移動を検出したときに、前記表示画面の表示倍率を拡大する拡大表示ステップと、
前記拡大表示ステップにおいて、前記表示画面に、全体が表示されるアイコンが１つだけになった場合に、当該１つのアイコンが操作者によって選択されたと判定する判定ステップとを含むことを特徴とする入力受付プログラム。
【発明の詳細な説明】
【技術分野】
【０００１】
本発明は、例えばスマートフォン、ＰＤＡ、タブレット端末などの携帯型入力受付装置、および当該装置で実行される入力受付プログラムに関する。
【背景技術】
【０００２】
近年、スマートフォンなどの多機能携帯電話や、ＰＤＡ、タブレット端末などの携帯情報端末（以下、これらを「携帯端末」と総称する。）が広く普及している（例えば、特許文献１）。
このような携帯端末の普及に伴い、携帯端末内で保持された画像データやテキストデータをプリンターに無線で直接送信して印刷できるようにした印刷システムが提案されている。
【０００３】
かかる印刷システムでは、印刷の際に、携帯端末の画面に、用紙サイズやカラーまたはモノクロ印刷の指定など、印刷条件を設定するための複数のアイコを表示して、タップ操作によってアイコンを選択することによりユーザーから印刷条件を受け付けるように構成されているものが多い。
【先行技術文献】
【特許文献】
【０００４】
【特許文献１】特開２０１１−２５２９７０号公報
【発明の概要】
【発明が解決しようとする課題】
【０００５】
しかしながら、最近ではプリンターの機能が多くなり、印刷条件を設定するためのアイコンの数も増加する傾向にある。そのため、表示画面のサイズの限られている携帯端末においては、個々のアイコンのサイズを小さくせざるを得ず、これにより、タップ操作による入力ミスが生じやすくなってきている。
すなわち、アイコンサイズが小さいと、指でタップするときに目的のアイコンだけでなくその隣のアイコンに指が触れ誤って入力されるおそれがある。特に、片手で携帯端末を操作する場合には、通常、携帯端末の背面を親指以外の四指で支え、親指の腹でアイコンをタップすることになるが、五指のうちで一番太い親指では繊細なタップ操作がしにくい上、タップするときに親指の付け根が画面に当たってしまい、意図せぬ入力操作をしてしまう可能性が高い。
【０００６】
このような問題は、携帯端末による印刷条件の設定入力操作のみならず、およそ何らかのアイコンの選択を受け付けて、これに関連付けられたアプリケーションの起動やファイルの選択などの操作を受け付ける携帯型の入力受付装置一般において生じ得る。
本発明は、上述のような事情に鑑みてなされたものであって、操作性に優れた携帯型入力受付装置および入力受付プログラムを提供することを目的とする。
【課題を解決するための手段】
【０００７】
上記目的を達成するため、本発明に係る携帯型入力受付装置は、複数のアイコンの中から一のアイコンを選択することにより入力を受け付ける携帯型入力受付装置であって、前記複数のアイコンのうち、少なくとも一部のアイコンを表示する表示手段と、装置本体の、第１の方向における移動を検出する第１の移動検出手段と、前記第１の方向とは異なる第２の方向における移動を検出する第２の移動検出手段と、前記第１の移動検出手段による検出結果に基づいて、前記表示手段に表示された表示画面をスクロールさせるスクロール表示制御を実行するとともに、前記第２の移動検出手段による第２の方向における移動を検出したときに、前記表示画面の表示倍率を拡大する拡大表示制御を実行する表示制御手段と、前記表示倍率の拡大により、前記表示画面に、全体が表示されるアイコンが１つだけになった場合に、当該１つのアイコンが操作者によって選択されたと判定する判定手段とを備えることを特徴とする。
【０００８】
ここで、前記表示制御手段は、前記判定手段により選択されたと判定されたアイコンに下位階層の複数のアイコンが関連付けられている場合には、当該下位階層のアイコンを前記表示手段に表示する構成としてもよい。
また、装置本体の第３の方向への移動を検出する第３の移動検出手段と、第４の方向への移動を検出する第４の移動検出手段とを、さらに備え、前記表示制御手段は、下位階層のアイコンの選択のため、当該下位階層の複数のアイコンのうちの一のアイコンのみ全体を前記表示手段に表示させ、前記第３の移動検出手段による検出結果に基づいて、前記表示手段の表示画面をスクロールして全体が表示されたアイコンを切り替えると共に、前記第４の移動検出手段により第４の方向への移動が検出されたときには、前記表示倍率を縮小させる制御を実行し、前記判定手段は、前記表示倍率が所定値以下に縮小されたとき、当該縮小前に前記表示手段の表示画面に全体が表示されていたアイコンが最終的に選択されたと判定する構成としてもよい。
【０００９】
前記表示倍率の所定値は、前記表示画面に全体が表示される下位階層のアイコンが２つ以上になるときの倍率である構成としてもよい。
また、装置本体の第３の方向への移動を検出する第３の移動検出手段と、第４の方向への移動を検出する第４の移動検出手段とを、さらに備え、前記表示制御手段は、下位階層のアイコンの選択のため、当該下位階層の複数のアイコンをポップアップ表示させ、前記第３の移動検出手段による検出結果に基づいて、前記ポップアップされた複数のアイコンのうち選択対象となるべきアイコンの指定を変更すると共に、前記第４の移動検出手段により第４の方向への移動が検出されたときには、前記表示倍率を縮小させる制御を実行し、前記判定手段は、前記表示倍率が所定値以下に縮小されたとき、ポップアップ表示上で指定されたアイコンが最終的に選択されたと判定する構成としてもよい。
【００１０】
前記表示倍率の所定値は、前記表示画面に前記ポップアップ表示させなければ、全体が表示される上位階層のアイコンが２つ以上になるときの倍率である構成としてもよい。
ここで、前記表示制御手段は、前記判定手段により下位階層のアイコンが最終的に選択されたと判定された後、前記表示画面に、上位階層のアイコンが表示されるように制御する構成としてもよい。
【００１１】
前記第１の方向の移動は、前記表示画面に平行な方向における平行移動であり、前記表示制御手段は、装置本体の、当該第１の方向の移動方向とは反対方向に前記表示画面をスクロールさせるように制御する構成としてもよい。
前記第１の移動検出手段は、前記第１の方向の第１移動量を検出する第１の移動量検出手段を備え、前記表示制御手段は、第１移動量と等しい距離だけ前記表示画面をスクロールさせるように制御する構成としてもよい。
【００１２】
また、前記第１の方向の移動は、操作者が前記表示画面を自分に向けた状態で装置本体を保持した場合に、当該装置本体を左右方向に傾ける回転移動であり、前記表示制御手段は、前記第１の移動検出手段により、装置本体が右方向に傾くのを検出した場合には、前記表示画面を右方向にスクロールさせ、装置本体が左方向に傾くのを検出した場合には前記表示画面を左方向にスクロールさせる構成としてもよい。
【００１３】
前記第２の方向の移動は、前記表示画面に垂直な方向で、操作者側に向かう方向への直線移動であり、前記第４の方向への移動は、前記第２の方向と反対側に向かう直線移動である構成としてもよい。
また、前記第２の方向の移動は、操作者が前記表示画面を自分に向けた状態で装置本体を保持した場合に、当該装置本体を、前記表示画面の手前方向に傾ける回転移動であり、前記第４の方向の移動は、前記第２の方向と反対方向に傾ける回転移動である構成としてもよい。
【００１４】
前記第３の方向の移動は、操作者が前記表示画面を自分に向けた状態で装置本体を保持した場合に、当該装置本体を左右方向に傾ける回転移動であり、前記表示制御手段は、前記第３の移動検出手段により、装置本体が右方向に傾くのを検出した場合には、前記表示画面を右方向にスクロールさせ、装置本体が左方向に傾くのを検出した場合には前記表示画面を左方向にスクロールさせる構成としてもよい。
【００１５】
ここで、前記階層構造をなすアイコンが、特定プログラムの動作環境を設定するためのものであって、上位階層のアイコンが動作環境の設定項目を示し、下位階層が、当該設定項目の具体的な設定内容を示す構成としてもよい。
前記表示制御手段は、
アイコンの表示倍率を拡大する際に、１個のアイコンが前記表示画面に収まりきれなくなる前に、表示倍率の拡大を停止させる構成としてもよい。
【００１６】
また、前記表示制御手段は、前記表示倍率を縮小する際に、アイコンの縮小率が、所定値になったときに縮小を停止させる構成としてもよい。
前記第１〜第４の移動検出手段として、３軸加速度センサーが用いられている構成としてもよい。
ここで、前記第１〜第４の移動検出手段のうち、直線移動を検出する手段として３軸加速度センサーが用いられ、回転移動を検出する手段として２軸ジャイロセンサーが用いられている構成としてもよい。
【００１７】
また、本発明は、装置本体の、第１の方向における移動を検出する第１の移動検出手段および前記第１の方向とは異なる第２の方向における移動を検出する第２の移動検出手段と、アイコンを表示する表示手段とを備える携帯型入力受付装置で実行される入力受付プログラムであってもよく、当該入力受付プログラムは、１以上のアイコンを表示手段に表示するアイコン表示ステップと、前記第１の移動検出手段による検出結果に基づいて、前記表示手段に表示された表示画面をスクロールさせるスクロールステップと、前記第２の移動検出手段により第２の方向における移動を検出したときに、前記表示画面の表示倍率を拡大する拡大表示ステップと、前記拡大表示ステップにおいて、前記表示画面に、全体が表示されるアイコンが１つだけになった場合に、当該１つのアイコンが操作者によって選択されたと判定する判定ステップとを含むことを特徴とする。
【発明の効果】
【００１８】
上記構成の携帯型入力受付装置によれば、装置本体を第１の方向に移動させることにより、表示画面をスクロールして目的のアイコンを画面の所定位置に表示させた後、第２の方向に移動させて表示倍率を拡大し、表示画面内に、全体が表示されるアイコンを１つにすることにより、当該１つのアイコンが選択されたと判定するので、タップ操作なしに目的のアイコンを選択することができる。
【００１９】
これにより、従来のタップ操作による入力ミス発生のおそれがなくなり、片手でも容易にアイコン選択の入力操作を行える。
【図面の簡単な説明】
【００２０】
【図１】本発明の第１の実施の形態に係る携帯端末が複合機に接続される様子を示す図である。
【図２】携帯端末の構成を示すブロック図である。
【図３】印刷条件の設定項目の一例を示すツリー図である。
【図４】（ａ）は、印刷条件設定画面および携帯端末の平行移動を説明するための図であり、（ｂ）は、携帯端末を傾ける回転移動を説明するための図、（ｃ）は、印刷条件設定画面に表示されるアイコン配列画像を説明するための図である。
【図５】（ａ）および（ｂ）は、表示画面のスクロール可能範囲を説明するための図である。
【図６】（ａ）〜（ｃ）は、携帯端末の移動動作と、表示倍率の拡大縮小との関係を説明するための図である。
【図７】制御部による「印刷条件設定処理」の制御の一例を示すフローチャートである。
【図８】印刷要求を受け付ける画面の一例を示す図である。
【図９】項目アイコンの選択処理の内容を示すサブルーチンである。
【図１０】表示画面のスクロール処理Ａの内容を示すサブルーチンである。
【図１１】表示倍率の拡大縮小処理の内容を示すサブルーチンである。
【図１２】設定アイコンの選択処理の内容を示すサブルーチンである。
【図１３】表示画面のスクロール処理Ｂの内容を示すサブルーチンである。
【図１４】（ａ）〜（ｃ）は、携帯端末を傾ける回転動作と表示画面のスクロール制御との関係を説明するための図である。
【図１５】（ａ）〜（ｃ）は、表示倍率の縮小により、設定アイコンを最終的に選択する操作を説明するための図である。
【図１６】（ａ）および（ｂ）は、第２の実施の形態における、携帯端末を前後方向に傾ける回転動作と表示倍率の拡大縮小の制御との関係を説明するための図である。
【図１７】第２の実施の形態における表示倍率の拡大縮小処理の内容を示すサブルーチンである。
【図１８】（ａ）および（ｂ）は、第３の実施の形態におけるポップアップ画面を説明するための図である。
【発明を実施するための形態】
【００２１】
＜第１の実施の形態＞
本発明に係る携帯型入力受付装置の第１の実施の形態について、デジタル式カラー複合機（ＭＦＰ）に接続される携帯端末を例にして図面に基づき説明する。
以下、本明細書では、デジタル式カラー複合機を単に「複合機」という。
図１は、本実施の形態に係る携帯端末１が複合機２００に接続される様子を示す図である。
【００２２】
複合機２００は、プリンター、コピー、ファクシミリ、スキャナーの機能、およびソートやステープルなどのフィニッシャー機能を有するものであり、携帯端末１が無線通信（例えばBluetooth（登録商標））を介して接続されるとともに、図示していないネットワーク（例えばＬＡＮ）を介して他の端末が接続されている。
また、複合機２００は、携帯端末１や他の端末からの印刷ジョブの実行指示を受付けると、その指示に基づいて印刷処理を実行するように構成されている。
【００２３】
（１）携帯端末の構成について
図２は、携帯端末１の構成を示すブロック図である。
携帯端末１は、例えば、小サイズのタブレット型パーソナルコンピューターであり、図２に示すように、制御部１０と、表示／入力部１１と、３軸加速度センサー１３と、電源ボタン１２およびバッテリー（不図示）などを有する。
【００２４】
制御部１０は、ＣＰＵ（Central Processing Unit）１０１、ＲＯＭ（Read Only Memory）１０２、ＲＡＭ（Random Access Memory）１０３、通信Ｉ／Ｆ部１０４、印刷条件記憶部１０５、アイコン配列記憶部１０６などを備える。
ＣＰＵ１０１は、表示／入力部１１および通信Ｉ／Ｆ部１０４等を制御するためのプログラムを実行する。ＲＯＭ１０２は、ＣＰＵ１０１により実行される各種プログラムを格納するストレージである。ＲＡＭ１０３は、ＣＰＵ１０１がプログラムを実行するときのワークエリアである。通信Ｉ／Ｆ部１０４は、複合機２００の制御部２１０と無線通信するためのインターフェースであり、内部に電波を送受信するためのアンテナが内蔵されている。
【００２５】
印刷条件記憶部１０５は、複合機２００に印刷指示するための各種の印刷条件を格納する。
アイコン配列記憶部１０６には、印刷条件を設定するための各アイコンの画像データや各アイコンのメモリアドレスに関する情報が格納されている。
図３は、本実施の形態における印刷条件の設定項目の階層の一例を示すツリー図である。
同図に示すように、印刷条件の設定項目として、カラー、画像品質、濃度、用紙サイズ、印刷方向、両面／片面、ページ集約、仕上り、印刷部数などがある（項目アイコン２ａ〜２ｉ）。また、例えば、カラー設定の内容として下位階層に、カラー、モノクロがあり（設定アイコン２ａ１，２ａ２）、用紙サイズ設定の内容として下位階層に、Ａ３，Ａ４，Ａ５，Ｂ４およびＢ５の各サイズがある（設定アイコン２ｄ１〜２ｄ５）。同様に、他の設定項目（印刷部数を除く）も、下位階層に設定内容がそれぞれ設けられている。印刷部数は数値入力によって設定される。
上位の設定項目を表す項目アイコンが配列された項目アイコン配列２０の画像データや、各項目の下位にある具体的な内容を表すアイコンが配列された設定アイコン配列２１〜２８の各画像データが、アイコン配列記憶部１０６内のそれぞれ異なるページメモリに格納される。下位のアイコン配列のページメモリは、その上位のアイコン配列のページメモリに関連付けされている。また、各ページメモリごとに、表示されるアイコンの内容とその矩形のアイコンの四隅のメモリアドレスを対応付けたテーブルが作成されている。
【００２６】
図３では、各設定項目のデフォルト値が太枠で囲まれている。印刷部数における数値入力２９のデフォルト値は「１部」に設定されている。印刷条件記憶部１０５には、このデフォルト値が初期値として記憶されている。
表示／入力部１１は、バックライト１１２、ＬＣＤ（Liquid Crystal Display）１１３、タッチパネル１１４が積層されてなる表示パネル１１１と、この表示パネル１１１の駆動制御のため設けられたＬＣＤコントローラー１１５、ＶＲＡＭ（Video Random Access Memory）１１６、タッチパネルコントローラー１１７などで構成されている。
【００２７】
ＶＲＡＭ１１６は、ＬＣＤ１１３に表示する画像データを格納するためのメモリである。ＬＣＤコントローラー１１５は、ＬＣＤ１１３を駆動制御し、ＶＲＡＭ１１６に格納された画像データをＬＣＤ１１３に表示する。ＣＰＵ１０１は、ＬＣＤ１１３で表示すべき画像データをＶＲＡＭ１１６に格納するとともにＬＣＤコントローラー１１５を制御してその画像データをＬＣＤ１１３に表示させる。
【００２８】
タッチパネルコントローラー１１７は、タッチパネル１１４を駆動制御し、タッチパネル１１４を介して受け付けたユーザーのタッチ操作に応じて入力信号を生成しＣＰＵ１０１に出力する。これにより、ＣＰＵ１０１は、ユーザーのタッチ操作、例えば特定のアイコンをタップして選択する操作、または画面をフリックしてスクロールする操作などを検出することができる。
【００２９】
ここで、「フリック」とは、画面に指先を当接し、その指先を、表示画像を移動させたい方向へ向けて軽くはじくような感覚でスライドさせる動作のことを意味する。また、「スクロール」とは、例えば、表示画像を右に移動させて、画面で見えなかった左の部分を見えるようにすることを右スクロールと言い、その逆を左スクロールと言う。
３軸加速度センサー１３は、携帯端末１の移動動作に伴うＸ軸、Ｙ軸、Ｚ軸の３軸方向の加速度Ａｘ，Ａｙ，Ａｚを検出し、ＣＰＵ１０１に出力する。ここで、Ｘ軸方向は、表示パネル１１１の横方向（左右方向）であり、Ｙ軸方向は表示パネル１１１の縦方向、Ｚ軸方向はパネル面に対する垂直方向となるように設定されている（図４（ａ）参照）。
【００３０】
ＣＰＵ１０１は、携帯端末１にかかる重力加速度を考慮して、３軸加速度センサー１３により検出された加速度Ａｘ，Ａｙ，Ａｚから移動方向、移動速度、移動量を求め、携帯端末１の、Ｘ，Ｙ，Ｚ軸方向の移動（平行移動）を検出する。
また、ＣＰＵ１０１は、加速度Ａｘ，Ａｙ，Ａｚの変化量に基づき、Ｘ，Ｙ，Ｚ軸方向の何れかに平行な軸に対する傾き量（回転移動量）を検出することができる（例えば図４（ｂ）参照）。なお、このような３軸加速度センサーの検出値に基づき、回転移動量を検出する方法自体は公知であるため、ここでの説明を省く。
【００３１】
ＣＰＵ１０１は、特定の画面表示の際、携帯端末１の上記平行移動または傾ける回転移動を検出した場合に、移動方向に応じて表示画面をスクロールする、または表示倍率を拡大縮小するように制御する。以下、この制御について説明する。
（２）表示画面のスクロール、表示倍率の拡大縮小の制御について
図４（ａ）は、印刷条件を設定するための印刷条件設定画面４０を示す一例であり、その初期画面が表示されている。
【００３２】
同図に示す印刷条件設定画面４０は、タイトルバー４０ａと、アイコン表示領域４０ｂと、印刷スタートボタン４１およびリセットボタン４２が表示されたボタン表示領域４０ｃで構成されている。
制御部１０は、印刷条件設定画面４０の、タイトルバー４０ａ、アイコン表示領域４０ｂ、ボタン表示領域４０ｃの画像データをそれぞれ生成してＶＲＡＭ１１６に格納するとともに、ＬＣＤコントローラー１１５を制御してＬＣＤ１１３に表示する。
【００３３】
このうちアイコン表示領域４０ｂに表示する画像データとして、図４（ｃ）に示す項目アイコン２ａ〜２ｉが横一列に配列された項目アイコン配列２０の画像データが生成され、ＶＲＡＭ１１６に格納されている。図４（ｃ）において、破線で囲まれた部分Ｈが、アイコン表示領域４０ｂに表示されている。
印刷スタートボタン４１は、ユーザーが印刷条件の設定を終えて、印刷開始を指示するためのアイコンボタンである。リセットボタン４２は、印刷条件をデフォルト値に戻すためのアイコンボタンである。印刷スタートボタン４１とリセットボタン４２は、片手だけでも操作がしやすいようになるべく離さないように考慮しつつ、一方のボタンをタップする際に、他方のボタンに指や指の付け根が触れないように、ボタン同士の間隔を確保した位置に配されている。
【００３４】
本実施の形態では、この印刷条件設定画面４０のうち、項目アイコン配列２０が表示されるアイコン表示領域４０ｂを、スクロールや表示倍率の拡大縮小の対象としている。よって、以下、スクロールや表示倍率を拡大縮小する「表示画面」とは、印刷条件設定画面４０の「アイコン表示領域４０ｂ」のことを意味するものとする。
まず、表示画面のスクロールについて説明する。
【００３５】
例えば、ユーザーが携帯端末１を右側（Ｘ方向）に移動させたとき、制御部１０は、その右側の移動を３軸加速度センサー１３からの出力結果より検出して、検出した移動量に応じて、アイコン配列記憶部１０６の項目アイコン配列２０の画像データから読み出すメモリアドレスを変更することにより、アイコン表示領域４０ｂに表示されているアイコンの画像を左側（移動方向とは反対側）にスクロールさせる。このスクロールによるアイコンの画面上の移動量が、携帯端末１の移動量と等しくなるように、予め画像データのメモリアドレスの変化量が設定されている。
【００３６】
例えば、携帯端末１を右方向に１０ｍｍ移動させたときには、アイコン画像が、左方向に１０ｍｍ移動するように、読み出すメモリアドレスが変更されていくように制御されている（表示画面の画素のピッチがαμｍとすれば、メモリアドレスは、（１０／α）×１０００個の画素分だけ左方向にずれることになる。）。
これにより、ユーザーは画面のスクロールを直感的に行うことができ、操作性が増す。
【００３７】
ユーザーは、項目アイコン配列２０のより右側のアイコン（図４（ｃ）の場合には項目アイコン２ｇ〜２ｉ）を、アイコン表示領域４０ｂに表示させることができる。      
また反対に、ユーザーが携帯端末１を左側（Ｘ’方向）に移動させたときには、制御部１０は、項目アイコン配列２０を右側にスクロールさせる。
ここで、表示画面のスクロール可能範囲は、次のように設定されている。
【００３８】
まず、左側のスクロールは、項目アイコン配列２０における最右端の項目アイコン２ｆの中心点Ｃ２が、印刷条件設定画面４０の左右方向中心線ＣＬに達するまで（図５（ａ）参照）、右側のスクロールは、最左端の項目アイコン２ａの中心点Ｃ１が中心線ＣＬに達するまでとなっている（図５（ｂ）参照）。
これにより、項目アイコン配列２０における最左端および最右端の項目アイコン２ａ，２ｆを画面中央の位置まで移動させることができるようにするとともに、アイコンが１つも表示されなくなるような無駄なスクロールを防止している。
【００３９】
設定アイコン配列２１〜２８についても同様であり、最左端および最右端の設定アイコンを画面中央の位置まで移動させることができるように、スクロール可能範囲が設定されている。
このように携帯端末１を左右方向に移動させることにより、印刷条件設定画面４０に表示されるアイコンを切り替えることができる。
【００４０】
次に、表示倍率の拡大縮小は、携帯端末１を、表示パネル１１１の垂直方向（Ｚ軸方向）に移動させることにより行うことができる。
例えば、図６（ａ）に示すように、ユーザーが、片手（左手）で保持した携帯端末１を、Ｚ方向に移動させ、ユーザー自身に近づけたときには、制御部１０が、その移動を３軸加速度センサー１３からの出力結果より検出し、検出された移動量に応じてアイコン表示領域４０ｂの中央にあるアイコンを中心にズームインして拡大表示する（図６（ｂ）→（ｃ）参照）。アイコン画像の拡大表示は、例えば線形補間法を用いて行うことができる。図６（ｂ）には、拡大された領域が破線で示されている。
【００４１】
また、反対に、携帯端末１をＺ’方向、つまりユーザーから離れる方向に移動させたときには、制御部１０は、検出された移動量に応じてアイコン表示領域４０ｂをズームアウトしてアイコンを縮小表示する（図６（ｃ）→（ｂ）参照）。アイコン画像の縮小表示は、例えば、画像データの画素をその縮小率に応じて間引くことにより行うことができる。
そして、表示倍率の拡大により、図６（ｃ）に示すように、アイコン表示領域４０ｂにおいて全体が表示されるアイコンが１つになった場合には、制御部１０は、そのアイコンがユーザーにより選択されたと判定するように構成されている。
【００４２】
全体が表示されるアイコンが１つだけであるか否かの判定は、例えば次のようにして行うことができる。
制御部１０は、まず、ＶＲＡＭ１１６のページメモリの項目アイコン配列２０の画像データのメモリアドレスから、各アイコン画像の４角のアドレスＭ１，Ｍ２，Ｍ３，Ｍ４とともに、アイコン表示領域４０ｂに表示される部分Ｈのメモリアドレス範囲Ｍ１０を取得する。このメモリアドレス範囲Ｍ１０内に、４角のアドレスＭ１，Ｍ２，Ｍ３，Ｍ４全てが含まれていれば、そのアイコンは全体がアイコン表示領域４０ｂに表示されていると判断できるので、その数をカウントし、１つであれば、全体が表示されるアイコンが１つだけであると判定する。
【００４３】
これによって、ユーザーはアイコンをタップしなくても、表示倍率を拡大して特定のアイコンのみ、その全体が表示されるようにして選択することができるので、片手だけでもアイコン選択を容易に行うことができる。図６（ｃ）の印刷条件設定画面４０に、下位階層の設定アイコンを表示して選択する処理については後述する。
本実施の形態において表示倍率の上限は、少なくとも１個のアイコンの全体が表示される限界までの拡大率としている。すなわち、表示されている特定のアイコンの４隅のメモリドレスの全部が、アイコン表示領域４０ｂの表示範囲より収まりきらない程度までの拡大は行わないようにしている。それ以上に拡大しても意味がないからである。
【００４４】
また、表示倍率の下限（最小縮小率）は、アイコンが小さくなり過ぎて識別できなくなるのを防止するため、ユーザーの視力の違いなど識別能力の個人差を考慮して、適当なアイコンサイズの下限値が予め設定されており、その下限値に対応して設けられている。
なお、本実施の形態では、表示パネル１１１の横方向一列にアイコンが並べられているので、携帯端末１を縦方向（Ｙ軸方向）に移動させてもスクロールされない構成としている。
【００４５】
また、検出した携帯端末１の平行移動の方向が、Ｘ，Ｙ，Ｚ軸方向に対して傾いている場合には、Ｘ，Ｙ，Ｚ軸方向の移動量のうち最も移動量の大きな方向を携帯端末１の移動方向と判定するようにしている。
さらに、手ブレによる表示画面のスクロールや表示倍率の拡大縮小を防止するため、携帯端末１の移動速度が瞬間的に大きくなって所定値を超えるときには手ブレと判定し、携帯端末１の移動として検出しないようにして、その間、表示画面のスクロールまたは表示倍率を拡大縮小しないよう構成している。
【００４６】
ここで、所定値は、予め測定して求めた手ブレ時の速度をもとに、個人差も考慮して適当な大きさが設定される。
携帯端末１の回転移動の場合には、傾き量（回転角）が所定値を超えないときには、手ブレと判定し、携帯端末１の移動として検出しないようにしている。
（３）印刷条件設定処理について
次に、印刷条件設定画面４０による印刷条件設定処理について説明する。
【００４７】
図７は、制御部１０による「印刷条件設定処理」の制御の一例を示すフローチャートである。
この処理は、携帯端末１全体を制御するメインフローチャート（不図示）のサブルーチンとして実施されるものである。
同図に示すように、制御部１０は、ユーザーからの印刷要求を受け付けると（ステップＳ１）、表示パネル１１１に、印刷条件設定の項目アイコンが配列された、印刷条件設定画面４０の初期画面（図４（ａ）参照）を表示し（ステップＳ２）、フラグＦ＝１に設定する（ステップＳ３）。
【００４８】
上記ステップＳ１の印刷要求は、例えば、印刷すべき画像とし、図８に示すような文字と写真が表示された画面３０において設けられたプリントマーク３１のタップによって受け付けられる。
この後、印刷スタートボタン４１（図４（ａ）等参照）がタップされた場合には（ステップＳ４：Ｙｅｓ）、制御部１０は、印刷条件設定処理を終了し、不図示のメインフローチャートにリターンする。この場合、制御部１０は、印刷条件を上記デフォルト値のままで印刷指示コマンドを生成し、印刷指示コマンドとともに印刷対象の画像データを複合機２００に送信する。また同時に、表示パネル１１１に印刷要求を受け付けた元の画面（ここでは図８の画面３０）を表示する。なお、後続ステップにおいて印刷条件の設定を受け付けた後、印刷スタートボタン４１がタップされた場合は、受け付け後の印刷条件に基づいて印刷指示コマンドを生成し、印刷指示コマンドおよび画像データを複合機２００に送信する。
【００４９】
印刷スタートボタン４１がタップされていない場合（ステップＳ４：Ｎｏ）、フラグＦ＝１であるか否かによって処理が分かれる（ステップＳ５）。
フラグＦ＝１の場合において（ステップＳ５：Ｙｅｓ）、携帯端末１の、画面に垂直な方向または左右方向への移動を検出すれば（ステップＳ６：Ｙｅｓ）、項目アイコンの選択処理等を行う（ステップＳ７〜Ｓ１０）。一方、フラグＦ＝１でない場合には（ステップＳ５：Ｎｏ）、携帯端末１の、画面に垂直な方向への移動または左右方向に傾ける移動（回転移動）を検出すれば（ステップＳ１１：Ｙｅｓ）、設定アイコンの選択処理等を行う（ステップＳ１２〜Ｓ１５）。
【００５０】
（３−１）項目アイコンの選択処理
図９は、上記ステップＳ７における「項目アイコンの選択処理」の内容を示すサブルーチンである。
同図に示すように、検出した移動方向が左右方向のときには（ステップＳ２１：Ｙｅｓ）、表示画面のスクロール処理Ａを行い（ステップＳ２２）、そうでなく垂直な方向のときには、表示倍率の拡大縮小処理を行う（ステップＳ２３）。
【００５１】
（３−１−１）表示画面のスクロール処理
図１０は、「表示画面のスクロール処理Ａ」の内容を示すサブルーチンである。
同図に示すように、携帯端末１の移動方向が右側の場合には（ステップＳ３１：Ｙｅｓ）、制御部１０は、まず、アイコン表示領域４０ｂの画面がスクロール可能範囲の右端に達しているか否かを確認する（ステップＳ３２）。
【００５２】
スクロール可能範囲の右端に達しているか否かの判定は、次のようにして行うことができる。
例えば、図５（ａ）に示すように、アイコン表示領域４０ｂに項目アイコン配列２０が表示されている場合、制御部１０は、まず、ＶＲＡＭ１１６上の項目アイコン配列２０の画像データのメモリアドレスから、最右端のアイコン２ｉの画像の中心点Ｃ２のアドレスＭｃ２と、アイコン表示領域４０ｂに表示される部分Ｈのうち中心線ＣＬより左側部分のメモリアドレス範囲Ｍ１０ａ（上記メモリアドレス範囲Ｍ１０の一部）を取得する。このメモリアドレス範囲Ｍ１０ａ内にアドレスＭｃ２が含まれていなければ、アイコン表示領域４０ｂの中心線ＣＬよりも左側の領域に、アイコン２ｉの中心点Ｃ２がまだきていないと判断することができるので、スクロール可能範囲の右端に達していないと判定する。
【００５３】
スクロール可能範囲の右端に達していない場合には（ステップＳ３２：Ｎｏ）、制御部１０は、３軸加速度センサーの検出結果より求めたＸ軸方向の移動量に応じて、アイコン表示領域４０ｂの画面を左側にスクロールさせる（ステップＳ３３）。右端に達している場合には（ステップＳ３２：Ｙｅｓ）、ステップＳ３３をスキップして、スクロールを停止する。
【００５４】
制御部１０は、携帯端末１の右側への移動を検出している間（ステップＳ３４：Ｙｅｓ）、上記ステップＳ３２，Ｓ３３を繰り返す。
一方、携帯端末１の移動方向が左側の場合には（ステップＳ３１：Ｎｏ）、アイコン表示領域４０ｂの画面がスクロール可能範囲の左端に達しているか否かを確認する（ステップＳ３５）。
【００５５】
スクロール可能範囲の左端に達しているか否かの判定は、右端に達しているか否かの判定と同様であり、次のようにして行うことができる。
今度は、図５（ｂ）を参照する。制御部１０は、まず、ＶＲＡＭ１１６上の項目アイコン配列２０の画像データのメモリアドレスから、最左端のアイコン２ａの画像の中心点Ｃ１のアドレスＭｃ１と、アイコン表示領域４０ｂに表示される部分Ｈのうち中心線ＣＬより右側部分のメモリアドレス範囲Ｍ１０ｂ（上記メモリアドレス範囲Ｍ１０の一部）を取得する。このメモリアドレス範囲Ｍ１０ｂ内にアドレスＭｃ１が含まれていなければ、アイコン表示領域４０ｂの中心線ＣＬよりも右側の領域に、アイコン２ａの中心点Ｃ１がまだきていないと判断することができるので、スクロール可能範囲の左端に達していないと判定する。
【００５６】
スクロール可能範囲の左端に達していない場合には（ステップＳ３５：Ｎｏ）、制御部１０は、３軸加速度センサーの検出結果より求めたＸ軸方向の移動量に応じて、アイコン表示領域４０ｂの画面を右側にスクロールさせる（ステップＳ３６）。左端に達している場合には（ステップＳ３５：Ｙｅｓ）、ステップＳ３６をスキップして、スクロールを停止する。
【００５７】
制御部１０は、携帯端末１の左側への移動を検出している間（ステップＳ３７：Ｙｅｓ）、上記ステップＳ３５，Ｓ３６を繰り返す。
このようなスクロール処理の際、実際の左右方向移動量とスクロール量とを略同じにすることにより、ユーザーは直感的に操作しやすくなる。
以上が表示画面のスクロール処理Ａである。
【００５８】
（３−１−２）表示倍率の拡大縮小処理とアイコン選択
次に、図１１は、上記ステップＳ２３における「表示倍率の拡大縮小処理」の内容を示すサブルーチンである。
同図に示すように、携帯端末１の移動方向がユーザーに近づく方向の場合には（ステップＳ４１：Ｙｅｓ）、制御部１０は、まず、アイコン表示領域４０ｂに、全体が表示されたアイコンが１つだけであるか否かを確認する（ステップＳ４２）。
【００５９】
全体が表示されたアイコンが１つだけでない場合には（ステップＳ４２：Ｎｏ）、制御部１０は、表示倍率がまだ上限に達していないと判定し、３軸加速度センサーの検出結果より求めたＺ軸方向の移動量に応じて、アイコン表示領域４０ｂの表示倍率を拡大させる（ステップＳ４３）。全体が表示されたアイコンが１つだけの場合には（ステップＳ４２：Ｙｅｓ）、ステップＳ４３をスキップして、表示倍率の拡大を停止する。
【００６０】
制御部１０は、携帯端末１のユーザーに近づく方向への移動を検出している間（ステップＳ４４：Ｙｅｓ）、上記ステップＳ４２，Ｓ４３を繰り返す。
一方、携帯端末１の移動方向がユーザーから離れる方向の場合には（ステップＳ４１：Ｎｏ）、表示されたアイコンのサイズが下限値であるか否かを確認する（ステップＳ４５）。
【００６１】
アイコンサイズが下限値でない場合には（ステップＳ４５：Ｎｏ）、制御部１０は、表示倍率がまだ下限に達していないと判定し、３軸加速度センサーの検出結果より求めたＺ軸方向の移動量に応じて、アイコン表示領域４０ｂの表示倍率を縮小させる（ステップＳ４６）。アイコンサイズが下限値の場合には（ステップＳ４５：Ｙｅｓ）、ステップＳ４６をスキップして、表示倍率の縮小を停止する。
【００６２】
そして、携帯端末１のユーザーから離れる方向への移動を検出している間（ステップＳ４７：Ｙｅｓ）、上記ステップＳ４５，Ｓ４６を繰り返す。
ここで、アイコンサイズは、例えば、次のようにして求めることができる。
制御部１０は、まず、ＶＲＡＭ１１６上の項目アイコン配列２０の画像データのメモリアドレスから、アイコン表示領域４０ｂに全体が表示されたアイコンの４角のアドレスＭ１，Ｍ２，Ｍ３，Ｍ４を取得する。次に、ＬＣＤコントローラー１１５の制御情報より、アドレスＭ１，Ｍ２，Ｍ３，Ｍ４上の画像データが対応付けられた各画素の座標情報を取得することにより、１つのアイコン表示に用いられる画素数を算出してそのサイズを求めることができる。
【００６３】
以上が表示倍率の拡大縮小処理である。
図９に戻って、ステップＳ２４において、表示倍率の拡大によりアイコン表示領域４０ｂに全体が表示された項目アイコンが１つだけとなる場合には（Ｙｅｓ）、制御部１０は、その全体が表示された項目アイコンがユーザーにより選択されていると判定する（ステップＳ２５）。
【００６４】
例えば、図６（ｃ）に示すように、全体が表示された１つのアイコンが、用紙サイズ設定のための項目アイコン２ｄ（以下、「用紙サイズアイコン２ｄ」ともいう）である場合には、制御部１０は、用紙サイズアイコン２ｄが選択されたと判定する。一方、全体が表示されたアイコンが１つでなく２つ以上ある場合には、アイコンがまだ選択されていないと判定する。
【００６５】
図７に戻って、ステップＳ８において、項目アイコンが選択された場合には（Ｙｅｓ）、制御部１０は、下位の設定アイコン配列を表示し（ステップＳ９）、フラグＦ＝２に設定する（ステップＳ１０）。項目アイコンが選択されていない場合には（ステップＳ８：Ｎｏ）、ステップＳ９，Ｓ１０をスキップする。
この後、リセットボタン４２がタップされなければ（ステップＳ１６：Ｎｏ）、ステップＳ４に戻って以降の処理を実行する。一方、リセットボタン４２がタップされれば（ステップＳ１６：Ｙｅｓ）、印刷条件記憶部１０５に記憶された印刷条件設定をリセットしデフォルト値に戻した後（ステップＳ１７）、ステップＳ２に戻り印刷条件設定画面４０の初期画面を改めて表示するとともにフラグＦ＝１に設定して（ステップＳ２，Ｓ３）、ステップＳ４以降の処理を実行する。
【００６６】
上記ステップＳ１０においてフラグＦ＝２に設定され、その後、リセットボタン４２および印刷スタートボタン４１がタップされなければ（ステップＳ１６，Ｓ４：Ｎｏ）、上記ステップＳ５においてフラグＦ＝１ではないので（Ｎｏ）、制御部１０によって設定アイコンの選択処理等のステップＳ１１〜Ｓ１５が実行される。
（３−２）設定アイコンの選択処理
図１４（ａ）は、下位の設定アイコン配列の表示画面の一例であり、用紙サイズアイコン２ｄが選択されたと判定された直後に表示された、下位の設定アイコン配列２４の表示画面を示す図である。
【００６７】
なお、このように画面を切り替える際には、例えばアニメーションやエフェクトを使うなどして画面が切り替わったことをユーザーが認識しやすいように構成するのが望ましい。そうすれば、本実施の形態のように、上位の項目アイコン配列の表示画面（図６参照）と下位の設定アイコン配列２４の表示画面（図１４（ａ））との画面構成が似ている場合であっても、画面が切り替わったことをユーザーはすぐに気付くことができる。
【００６８】
同図に示すように、本実施の形態では、下位の設定アイコン配列を表示する際、制御部１０が、１つのアイコンのみ全体が表示されるように（ここでは印刷条件のデフォルト値であるＡ４サイズを表す設定アイコン２ｄ２のみ全体が表示されている）、表示倍率を調整して表示している。これは次の理由による。
各項目アイコンにそれぞれ関連付けられる下位の設定アイコンの数は、図３に示すように、例えばカラー設定、印刷方向設定、両面設定では２つであり、最も多い用紙サイズ設定でも５つと、項目アイコン配列２０と比べて少ない。
【００６９】
このため、目的のアイコンを見つける際、アイコン数が少ない分表示画面のスクロールが少なくて済むので、最初から全体が表示されるアイコンを１つにしておくことにより、ユーザーが表示倍率を拡大する操作を省略でき、操作負荷の軽減が図れるからである。
一方、項目アイコン配列２０においても、最初から全体が表示されるアイコンが１つのみになるように表示しても構わないが、この場合には、表示倍率を拡大した分画面に表示されるアイコン数が少なくなるので、もともとアイコン数が多い項目アイコン配列２０の場合には、目的のアイコンを見つけるためのスクロール操作が多くなって、結果的に操作負荷が増加する可能性が高い。
【００７０】
そこで、本実施の形態では、下位の設定アイコン配列を表示するときには、最初から１つのアイコンだけ全体が表示されるように構成している。そして、制御部１０が、当該全体が表示された１つのアイコンを仮選択し、表示倍率が縮小され所定値以下（縮小により全体が表示されたアイコンが２つ以上（１つから）になる倍率以下）になったときに、仮選択したアイコンがユーザーにより最終的に選択されたと判定するようにしている。
【００７１】
図１２は、図７のステップＳ１２における「設定アイコンの選択処理」の内容を示すサブルーチンである。
同図に示すように、制御部１０は、まず全体が表示された１つの設定アイコンを仮選択するとともに、当該設定アイコンの意味する設定内容をＲＡＭ１０３の記憶領域αにセットする（ステップＳ５１）。
【００７２】
次に、携帯端末１の移動が、左右方向に傾ける移動のときには（ステップＳ５２：Ｙｅｓ）、表示画面のスクロール処理Ｂを行い（ステップＳ５３）、そうでなく垂直な方向への移動ときには、表示倍率の拡大縮小処理を行う（ステップＳ５４）。
（３−２−１）表示画面のスクロール処理
表示画面のスクロール処理Ｂは、携帯端末１の左右方向に傾ける回動移動を検出する毎に、全体が表示される１つのアイコンが傾く方向（左または右）の隣のアイコンに切り替わるようスクロールするように構成されている。この点が、上記表示画面のスクロール処理Ａ（図１０参照）と異なっている。
【００７３】
ここで、携帯端末１の「傾ける回動移動を検出する毎」とは、ユーザーにより携帯端末１を傾けて元に戻す動作の１回毎を意味する。
携帯端末１を傾けたままでは画面が見にくいので、ユーザーは携帯端末１を傾けた後、画面が見やすいように元の状態に傾きを戻す動作を行うと考えられることから、本実施の形態では、携帯端末１を傾ける動作および元に戻す動作を一連の動作として捉え、制御するように構成している（詳細は後述する）。
【００７４】
図１３は、上記「表示画面のスクロール処理Ｂ」の内容を示すサブルーチンである。
同図に示すように、携帯端末１が左に傾く方向に移動する場合（ステップＳ６１：Ｙｅｓ）、表示画面がスクロール可能範囲の右端に達してなければ（ステップＳ６２：Ｎｏ）、制御部１０は、画面を左側にスクロールさせることにより、全体が表示された設定アイコンを切り替える（ステップＳ６３）。
【００７５】
この後、携帯端末１の傾きを元に戻す戻し動作（携帯端末１を水平状態から最初に傾けた方向と反対方向に傾けて水平に戻す動作）が完了するのを待って（ステップＳ６６：Ｙｅｓ）、図１２にリターンする。
これにより、表示画面をスクロールさせることなく、傾けた携帯端末１の傾きを元に戻すことができる。つまり、携帯端末１の傾きを戻すときに、全体が表示された設定アイコンが切り替え前のアイコンに戻るようなことがないようにしている。
【００７６】
なお、制御部１０は、３軸加速度センサー１３の検出結果より先に検出した傾きの方向とは反対側にほぼ同じ角度だけ戻す回転移動を検出することにより、戻し動作が完了したと判定する。
携帯端末１の右に傾く方向に移動する場合には（ステップＳ６１：Ｎｏ）、表示画面がスクロール可能範囲の左端に達してなければ（ステップＳ６４：Ｎｏ）、画面を右側にスクロールさせることにより、全体が表示された設定アイコンが切り替えられる（ステップＳ６５）。
【００７７】
この後、上記したように、携帯端末１の傾きを元に戻す戻し動作が完了するのを待って（ステップＳ６６：Ｙｅｓ）、図１２にリターンする。
例えば、図１４（ａ）の状態から、携帯端末１を左に傾けて元に戻すように回転移動させた場合には、図１４（ｂ）に示すように、表示画面が左側にスクロールされて、全体が表示された設定アイコンがＡ４サイズの設定アイコン２ｄ２から、その右側のＡ５サイズの設定アイコン２ｄ３に切り換えられる。
【００７８】
さらにもう１回、携帯端末１を左に傾けて元に戻すように回転移動させると、図１４（ｃ）に示すように、表示画面が左側にスクロールされて、全体が表示された設定アイコンが、Ａ５サイズの設定アイコン２ｄ３から、さらに右側のＢ４サイズの設定アイコン２ｄ４に切り換えられる。なお、図１４（ｂ）の状態から、右に傾けて元に戻す回転移動させた場合には、図１４（ａ）の状態に戻される。
【００７９】
以上が表示画面のスクロール処理Ｂである。
（３−２−２）表示倍率の縮小処理と選択アイコンの確定
図１２に戻って、上記ステップＳ５４の「表示倍率の拡大縮小処理」は、項目アイコンの選択処理における表示倍率の拡大縮小処理（図１１参照）と同じ内容である。なお、ここでは、全体が表示されるアイコンが最初から１つになっているので、基本的には、表示倍率の縮小が主な処理となる。
【００８０】
上記ステップＳ５４において表示倍率が縮小され、全体が表示されたアイコンが１つから２つ以上になった場合には（ステップＳ５５：Ｙｅｓ）、制御部１０は、上記ステップＳ５１で仮選択された設定アイコンが、ユーザーにより最終的に選択されたと判定して設定アイコンを確定する（ステップＳ５６）。そして、上記ステップＳ５１において記憶領域αにセットされた設定内容で、印刷条件記憶部１０５に記憶された印刷条件を変更する（ステップＳ５７）。
【００８１】
ここで、全体が表示されたアイコンが１つから２つ以上になったか否かの判定は、次のようにして行うことができる。
制御部１０は、上記したようにＶＲＡＭ１１６上のアイコン画像の４角のアドレス情報とアイコン表示領域４０ｂに表示される部分Ｈのアドレス情報より、アイコン表示領域４０ｂにアイコン全体が表示されているか否かを判定し、全体が表示されているアイコンをカウントすることができるので、例えば、上記ステップＳ５４において表示倍率を縮小させるときには、縮小前の全体が表示されるアイコンのカウント数（ｎ１）と、縮小後において全体が表示されるアイコンのカウント数（ｎ２）とを記憶しておき、ｎ１，ｎ２が、ｎ２＞ｎ１＝１の式を満たせば、全体が表示されたアイコンが１つから２つ以上になったと判定する。
【００８２】
例えば、図１５（ａ）に示すように、Ｂ４サイズの設定アイコン２ｄ４のみ全体が表示され仮選択された状態から、携帯端末１をユーザーから離れる方向に移動させると、図１５（ｂ）に示すように、表示倍率が縮小されて、Ｂ４とＢ５サイズの２つの設定アイコン２ｄ４，２ｄ５の全体が表示される。この時点で、事前に仮選択された設定アイコン２ｄ４が確定されて、上記したように印刷条件が変更される。
【００８３】
この後、図７に戻り、ステップＳ１３において選択された設定アイコンが確定されているので（Ｙｅｓ）、制御部１０は、図１５（ｃ）に示すように上位の項目アイコン配列２０を画面に表示し（ステップＳ１４）、フラグＦ＝１に設定する（ステップＳ１５）。
なお、選択された設定アイコンが確定されていない場合には（ステップＳ１３：Ｎｏ）、ステップＳ１４，Ｓ１５をスキップする。
【００８４】
この場合、ユーザーが変更内容を確認できるよう、画面の用紙サイズアイコン２ｄに、変更後の設定内容を表示するのが望ましい（図１５（ｃ）参照）。
上記構成の携帯端末１によれば、項目アイコンの選択処理では、携帯端末１を左右方向に移動させることにより表示画面をスクロールして目的のアイコンを画面の中央位置に表示させた後、携帯端末１を画面に垂直な方向（ユーザーに近づける方向）に移動させて表示倍率を拡大し、表示画面内に、全体が表示されるアイコンを１つにすれば、当該１つのアイコンが選択されたと判定される。また、設定アイコンの選択処理では、携帯端末１を左右方向に傾けて回転移動させることにより表示画面をスクロールして目的のアイコンを画面の中央位置に表示させ、その後、携帯端末１を画面に垂直な方向（ユーザーから離れる方向）へ移動させて表示倍率を縮小して、表示画面内に、全体が表示されるアイコンが１つから２つ以上なれば、当該１つのアイコンが最終的に選択されたと判定される。これらより、タップ操作をしなくてもよく片手だけでもアイコン選択を行うことができるので、タップ操作によるミスをなくすことができ、片手でもアイコン選択の入力操作が容易に行えるようになる。
【００８５】
本実施の形態では、携帯端末１の左方向または右方向における移動が「第１の方向における移動」であり、携帯端末１をユーザーに近づける方向（画面に垂直な方向）の移動が「第２の方向における移動」である。また、携帯端末１を左方向に傾けるまたは右方向に傾ける回転移動が「第３の方向への移動」であり、携帯端末１をユーザーから離す方向（画面に垂直な方向）への移動が「第４の方向への移動」である。
【００８６】
本実施の形態において、表示パネル１１１が、複数のアイコンのうち、少なくとも一部のアイコンを表示する表示手段として機能する。また、制御部１０および３軸加速度センサー１３が、携帯端末１本体の、第１の方向への移動、第２の方向への移動、第３の方向への移動および第４の方向への移動をそれぞれ検出する第１、第２、第３および第４の移動検出手段として機能する。
【００８７】
さらに、制御部１０が、３軸加速度センサー１３の検出結果に基づいて、表示画面のスクロール処理および表示倍率の拡大縮使用処理（上記図８および図９の各ステップ）を実行するときに、本発明における表示制御手段として機能する。また、制御部１０が、印刷条件設定処理中に、表示倍率の拡大により、表示画面内に全体が表示されるアイコンが１つだけになった場合において、当該１つのアイコンがユーザー（操作者）によって選択されたと判定するとき（上記図７の該当するステップを実行するとき）に、本発明における判定手段として機能する。
＜第２の実施の形態＞
第２の実施の形態では、表示倍率の拡大縮小の制御が、携帯端末１を前後に傾ける回転移動を検出したときに行われるように構成されている。この点において、携帯端末１の画面の垂直方向への移動（平行移動）を検出したときに表示倍率の拡大縮小の制御が行われる第１の実施の形態と相違する。
【００８８】
その他の構成については、基本的に第１の実施の形態の携帯端末１と同様であるので、同じ構成については、同じ符号で示し、その説明を省略する。
図１６（ａ）および（ｂ）は、携帯端末１を前後に傾ける回転動作と表示倍率の拡大縮小の制御との関係を説明するための図である。
図１６（ａ）に示すように、携帯端末１を手前側に傾けたときには（矢印Ｋ１）、制御部１０は、携帯端末１の傾き量（回転角）に応じて、表示倍率を拡大し、例えば破線で囲んだ領域をズームインする。
【００８９】
反対に、図１６（ｂ）に示すように、携帯端末１を後ろ側に傾けたときには（矢印Ｋ２）、制御部１０は、その傾き量に応じて表示倍率を縮小し、ズームアウトする。
図１７は、本実施の形態の「表示倍率の拡大縮小処理」の内容を示すサブルーチンである。この処理は、第１の実施の形態と同様、図９の項目アイコンの選択処理、図１２の設定アイコンの選択処理のサブルーチンとして実施される。
【００９０】
同図に示すように、制御部１０は、携帯端末１の移動方向が手前に傾く方向の場合（ステップＳ１１１：Ｙｅｓ）、全体が表示されたアイコンが１つだけでなければ（ステップＳ１１２：Ｎｏ）、３軸加速度センサーの検出結果より求めた傾き量に応じて、アイコン表示領域４０ｂの表示倍率を拡大させる（ステップＳ１１３）。全体が表示されたアイコンが１つだけの場合は（ステップＳ１１２：Ｙｅｓ）、ステップＳ１１３をスキップする。
【００９１】
制御部１０は、携帯端末１の前に傾く回転移動を検出している間（ステップＳ１１４：Ｙｅｓ）、上記ステップＳ１１２，Ｓ１１３を繰り返す。
携帯端末１の前に傾く回転移動を検出しなくなった後（ステップＳ１１４：Ｎｏ）、携帯端末１の傾きを元に戻す戻し動作が完了するのを待って（ステップＳ１１８：Ｙｅｓ）、図９または図１２にリターンする。
【００９２】
一方、携帯端末１の移動方向が後ろに傾く方向の場合（ステップＳ１１１：Ｎｏ）、表示されたアイコンのサイズが下限値でなければ（ステップＳ１１５：Ｎｏ）、３軸加速度センサーの検出結果より求めた傾き量に応じて、アイコン表示領域４０ｂの表示倍率を縮小させる（ステップＳ１１６）。アイコンサイズが下限値の場合には（ステップＳ１１５：Ｙｅｓ）、ステップＳ１１６をスキップする。
【００９３】
そして、携帯端末１の後ろに傾く回転移動を検出している間（ステップＳ１１７：Ｙｅｓ）、上記ステップＳ１１５，Ｓ１１６を繰り返す。
携帯端末１の後ろに傾く回転移動を検出しなくなった後（ステップＳ１１７：Ｎｏ）、携帯端末１の傾きを元に戻す戻し動作が完了するのを待って（ステップＳ１１８：Ｙｅｓ）、図９または図１２にリターンする。
【００９４】
また、本実施の形態では、図７のステップＳ６,Ｓ１１の内容を次のように変更する（「」内が変更部分を示す）。
ステップＳ６では、携帯端末１の「画面に垂直な方向」または左右方向への移動を検出したか否かの判定に代えて、携帯端末１の「前後方向に傾ける回転移動」または左右方向への移動を検出したか否かを判定する構成とする。
【００９５】
ステップＳ１１では、携帯端末１の「画面に垂直な方向への移動」または横方向に傾ける回転移動を検出したか否かの判定に代えて、携帯端末１の「前後方向に傾ける回転移動」または横方向に傾ける回転移動を検出したか否かを判定する構成とする。
本実施の形態においても、携帯端末１を移動させて表示画面のスクロールや表示倍率の拡大縮小を制御することができ、項目アイコンの選択処理では、表示画面内に全体が表示されるアイコンを１つにすれば当該１つのアイコンが選択されたと判定され、設定アイコンの選択処理では、表示画面内に全体が表示されるアイコンが１つから２つ以上なれば当該１つのアイコンが最終的に選択されたと判定される構成となっている。
【００９６】
よって、第１の実施の形態と同様、タップ操作をしなくてもよく片手だけでもアイコン選択を行うことができるので、タップ操作によるミスをなくすことができ、片手でもアイコン選択の入力操作が容易に行えるようになる。
本実施の形態では、携帯端末１の左方向または右方向における移動が「第１の方向における移動」、携帯端末１を手前方向に傾ける回転移動が「第２の方向における移動」、左方向に傾けるまたは右方向に傾ける回転移動が「第３の方向への移動」、携帯端末１を後ろ方向に傾ける回転移動が「第４の方向への移動」である。
＜第３の実施の形態＞
第３の実施の形態は、下位の設定アイコン配列を、上位の項目アイコンが表示されている画面上にポップアップ表示させる点において、第１の実施の形態と相違する。
【００９７】
その他の構成については、基本的に第１の実施の形態の携帯端末１と同様であるので、同じ構成については、同じ符号で示し、その説明を省略する。
図１８（ａ）は、用紙サイズアイコン２ｄが選択されて表示されたポップアップ画面の一例を示す図である。
同図に示すように、ポップアップ画面５０は、下位の設定アイコン２ｄ１〜２ｄ５が表示パネル１１１の縦方向（Ｙ軸方向）に配列されてなり、アイコン表示領域４０ｂにおいて用紙サイズアイコン２ｄの横にポップアップ表示されている。
【００９８】
また、アイコン表示領域４０ｂには、ポップアップ画面５０の中から１つの設定アイコンを指し示すカーソル５１が表示されている。
本実施の形態では、制御部１０が、携帯端末１の縦方向（Ｙ軸方向）への移動に応じてカーソル５１を移動制御し、指示したアイコンを切り替えることができるよう構成されている。そして、携帯端末１の縦方向に移動させて目的の設定アイコンをカーソル５１で指示した後、携帯端末１をユーザーから離れる方向に移動させることにより表示倍率を縮小して、ポップアップ画面５０を閉じたと仮定したときに、表示画面に全体が表示される項目アイコンが２つ以上になる表示倍率以下になれば、カーソル５１で指示した設定アイコンが、ユーザーにより最終的に選択されたと判定する。また、この判定とともに、ポップアップ画面を閉じる図１８（ｂ）参照）。
【００９９】
本実施の形態においても、第１の実施の形態と同様、タップ操作をしなくてもよく、片手だけでもアイコン選択を行うことができるので、タップ操作によるミスをなくすことができ、片手でもアイコン選択の入力操作が容易に行えるようになる。
本実施の形態では、携帯端末１をユーザーに近づける方向（画面に垂直な方向）の移動が「第２の方向における移動」、携帯端末１の縦方向上側または下側への移動が「第３の方向への移動」、携帯端末１をユーザーから離す方向（画面に垂直な方向）への移動が「第４の方向への移動」である。なお、説明を省略したが、携帯端末１の「第１の方向の移動」は、第１の実施の形態と同様、左右方向の移動となっている。
【０１００】
＜変形例＞
本発明は、上記実施の形態に限定されるものではなく、次のような変形例も考えることができる。
（１）上記の実施の形態では、印刷条件設定画面４０にアイコンが横一列または縦一列に並べられる構成を示したが、これに限らず、縦横のマトリックス状に並べられた構成としても構わない。
【０１０１】
この場合、３軸加速度センサー１３の検出結果より、携帯端末１のＸ軸方向の移動を検出した場合に、表示画面を左右方向にスクロールし、Ｙ軸方向の移動を検出した場合に、表示画面を縦方向にスクロールするように構成すればよい。
（２）上記実施の形態では、アイコン表示領域４０ｂの中央を中心にズームイン／ズームアウトするように表示倍率を拡大縮小する構成を示したが、これに限定するものではない。
【０１０２】
例えば、アイコン表示領域４０ｂの中央から少しずれた位置、あるいは端部の位置を中心にしても構わない。
（３）上記実施の形態では、表示画面のスクロールにより、スクロール可能範囲の端に達した場合、スクロールを停止する構成を示したが、これに限定するものではない。
例えば、アイコン配列をループ状の配列と見立てて、表示画面のスクロールによってアイコンを循環表示するようにしても構わない。
【０１０３】
具体的には、図４（ｃ）に示す項目アイコン配列２０を例にして説明すると、右側のスクロールでは、同図の最左端のアイコン２ａが表示された後には最右端のアイコン２ｉが表示され、逆の左側のスクロールでは、最右端のアイコン２ｉが表示された後に最左端のアイコン２ａが表示されるように構成することができる。
この場合、配列されたアイコンを一通り確認した後、最初のアイコンに戻りたいような場合に、簡単に戻れるようになるという利点がある。
【０１０４】
（４）上記実施の形態では、携帯端末１を左右方向に傾ける回転移動および前後方向に傾ける回転移動を検出するのに３軸加速度センサー１３を用いた構成を示したが、これに限定するものではない。
例えば、Ｘ軸方向またはＹ軸方向を軸として回転する角度や角速度を検出する公知のジャイロセンサーを用いて上記回転移動を検出することもできる。
【０１０５】
（５）上記の実施の形態では、各項目アイコンの下位に１以上の設定アイコンが設けられた２階層の階層構造の中から、目的のアイコンを選択する構成について説明したが、これに限定するものではない。
アイコンの階層構造が３階層あるいは４階層以上であってもよく、また階層のないフラットな構造であっても、本発明を適用することができる。
【０１０６】
（６）上記の実施の形態では、表示画面のスクロール制御が、項目アイコンの選択処理中と設定アイコンの選択処理中では異なる構成（表示画面のスクロール処理Ａ，Ｂ）を示したが、これに限定するものではない。
例えば、第１の実施の形態において、設定アイコンの選択処理での表示画面のスクロール制御を、項目アイコンの選択処理と同じように、携帯端末１の左右方向の移動の検出によって行う構成としても構わない。また、第２の実施の形態において、項目アイコンの選択処理での表示画面のスクロール制御を、設定アイコンの選択処理と同じように、携帯端末１の左右方向に傾ける回転移動の検出によって行う構成としても構わない。
【０１０７】
（７）上記の実施の形態では、携帯端末１を右に傾けた場合には表示画面が右方向にスクロールし、左に傾けた場合には表示画面が左方向にスクロールするようにして、携帯端末１の傾き方向とスクロール方向が一致する構成を示したが、これに限定するものではない。携帯端末１の傾き方向とは反対方向にスクロールさせる構成としても構わない。
（８）上記の実施の形態では、下位階層の設定アイコン配列を表示する際、最初から全体が表示されるアイコンを１つになるように表示倍率を拡大して表示する構成を示したが、これに限定するものではない。
【０１０８】
例えば、下位階層のアイコン数が比較的に多い場合には、目的のアイコンを見つけやすく、スクロール操作を軽減できるという観点より、上位の項目アイコン配列の初期画面と同じように、表示画面に、全体が表示されるアイコンが複数あるのが望ましい。
（９）上記の実施の形態では、印刷条件設定のためのアイコン選択を例にして説明したが、これに限定するものではない。
【０１０９】
例えば、音楽ファイルなどは、通常、ジャンルやアーティスト毎に分類され、階層化されて管理されており、目的の音楽を聴くためには各階層でのアイコン選択が必要になるので、特に、電車内でつり革につかまっているときやカバンを持っているときなど、片手でしか操作ができないようなときに本発明は有効に適用できる。
また、携帯端末１の起動後のメニュー画面においてアイコン選択する場合にも、本発明を適用することができる。
【０１１０】
また、例えば、上記複合機２００（図１参照）に、コピー設定、ファックス設定、スキャン設定などを行うための携帯型の専用操作パネルを設けた場合には、当該専用操作パネルのアイコン選択による各種設定画面において、本発明を適用することができる。
（１０）第３の実施の形態では、ポップアップ画面５０が、縦方向（Ｙ軸方向）に配列された設定アイコンからなる構成を示したが、これに限定するものではなく、設定アイコンを横方向（Ｘ軸方向）に配列しても構わない。この場合、第１の実施の形態と同様に、携帯端末１を左右方向に一瞬傾けるようにして回転移動させることにより、カーソル５１を移動させるように構成することもできる。
【０１１１】
（１１）上記の実施の形態では、印刷条件設定画面４０に四角形のアイコンを表示して説明したが、アイコンの形状はこれに限らず、三角形や五角形などの多角形、または丸形でも構わない。
（１２）上記の実施の形態では、複数のアイコンのうち、少なくとも一部のアイコンを表示する表示手段として、ＬＣＤ１１３とタッチパネル１１４とが積層されてなる表示パネル１１１を用いた構成を示したが、これに限定するものではない。
【０１１２】
例えば、ＬＣＤパネルに代えて、有機ＥＬパネル（organic electroluminescence panel）を用いても構わない。
また、タッチパネル１１４を積層しない構成としても構わない。この場合、印刷スタートボタン４１やリセットボタン４２を、ハードキーに代えることにより、上記実施の形態と同様、印刷スタートや、印刷条件のリセットを行うことができるようになる。また、例えば、印刷スタートボタン４１やリセットボタン４２を、アイコン表示領域４０ｂのアイコン配列に並べて表示して、選択できるようにしても構わない。
【０１１３】
このような印刷スタートボタンやリセットボタンの配置位置は、特に限定されるものではなく、携帯端末の仕様に応じて、操作性を損なわないように配置位置を設定するのが望ましい。また、例えば、上記実施の形態のように、印刷スタートボタンやリセットボタンを表示画面上のソフトキーで構成した場合、ユーザーが携帯端末を右手で操作する場合と、左手で操作する場合とで、配置位置を変更できるように構成しても構わない。この場合、右手でも左手でも操作性を良くすることができるという利点を有する。
【０１１４】
（１３）上記実施の形態のように、表示パネル１１１にタッチパネル１１４が組み込まれたものを使用していれば、例えば、印刷条件設定処理中に、項目アイコンまたは設定アイコンが指でタップされた場合に、当該タップによるアイコン選択を受け付けるようにしても構わない。
（１４）上記実施の形態では、携帯端末１と複合機２００との間をBluetooth（登録商標）による無線通信により接続させた構成を示したが、これに限定するものではない。
【０１１５】
例えば、赤外線による無線通信や、ＷｉＦｉなどの無線ＬＡＮを介して接続する構成にしても構わない。
また、ＵＳＢケーブルやＬＡＮケーブルなど有線で接続する構成にしても構わない。この場合でも、ユーザーは、片手で保持した携帯端末１を移動させることができるので、上記構成の携帯端末１であれば、タップ操作をしなくても、携帯端末１を移動させることによってアイコン選択を行うことができる。
【０１１６】
（１５）上記実施の形態では、携帯型入力受付装置として、タブレット型のパーソナルコンピューターを用いて説明したが、本発明の適用範囲は、これに限らず、スマートフォンなどの多機能携帯電話や、ＰＤＡなどの携帯情報端末などに適用することができる。
上記実施の形態および各変形例は可能な限り組み合わせてもよい。
【産業上の利用可能性】
【０１１７】
本発明は、例えばスマートフォン、ＰＤＡ、タブレット端末などの携帯型入力受付装置、および当該装置内のコンピューターで実行される入力受付プログラムに関し、特に、片手での操作性を向上させる技術として好適である。
【符号の説明】
【０１１８】
１    携帯端末
２ａ〜２ｉ  項目アイコン
１０    制御部
１１    表示／入力部
１３    ３軸加速度センサー（第１、第２、第３および第４の移動検出手段）
４０    印刷条件設定画面
４０ｂ  アイコン表示領域
５０    ポップアップ画面
５１    カーソル
１１１    表示パネル
２００    複合機
【図１】
2014086003.tif 000003
【図２】
2014086003.tif 000004
【図３】
2014086003.tif 000005
【図４】
2014086003.tif 000006
【図５】
2014086003.tif 000007
【図６】
2014086003.tif 000008
【図７】
2014086003.tif 000009
【図８】
2014086003.tif 000010
【図９】
2014086003.tif 000011
【図１０】
2014086003.tif 000012
【図１１】
2014086003.tif 000013
【図１２】
2014086003.tif 000014
【図１３】
2014086003.tif 000015
【図１４】
2014086003.tif 000016
【図１５】
2014086003.tif 000017
【図１６】
2014086003.tif 000018
【図１７】
2014086003.tif 000019
【図１８】
2014086003.tif 000020